(57)【要約】【課題】蓋付容器の蓋を取り外す際に、複雑な構造のオープナーを使用することなく、蓋の破損を抑制しつつ簡単に取り外し易い状態とする技術を提供する。【解決手段】蓋部材２１と容器本体２０を備えた特定形状の蓋付容器を使用対象とする蓋オープナー２を形成する。蓋オープナー２は、蓋部材２１と容器本体２０の間に形成される隙間５５に挿入する挿入部１１と、使用者が把持する把持部１０が一体に形成され、これらが屈曲部１２で屈曲して延びた形状とする。そして、挿入部１１の一部を隙間５５に挿入し、この部分とは異なる一部分を蓋付容器の角部分４１に接触させ、把持部１０を容器本体３１に近接させることで、蓋部材２１を開け易い状態とする。【選択図】図６
2019038549.tif 000002
【特許請求の範囲】
【請求項１】
蓋部材と容器本体を備えた特定形状の蓋付容器を使用対象とする蓋オープナーにおいて、
前記容器本体は、上端部分に開口を有する容器であり、開口周辺に位置する蓋取付部と、その下方側に位置する本体部とを有し、
前記蓋取付部は、前記容器本体の外周縁よりも内側に位置する略円筒状の部分であり、その外側側面に複数の突条部が設けられており、
複数の前記突条部は、間隔を空けて並列配置されており、
さらに前記容器本体は、前記蓋取付部の外側側面と、前記容器本体の外側側面と、その間に位置するつなぎ部とが段状に連続しており、且つ、前記つなぎ部と前記容器本体の外側側面の境界には、丸みを帯びた形状の角部分である本体角部が形成されるものであり、
前記蓋部材は、前記容器本体の開口を覆う円板部と、円板部の縁端から下方側へ垂下される円環状の蓋側壁部とが一体に形成された部材であり、
前記蓋側壁部の内側側面には、前記円板部の径方向内側へ突出する爪部が複数設けられており、複数の前記爪部が前記円板部の周方向で間隔を空けて配されており、
前記蓋付容器は、前記蓋部材を前記蓋取付部の上に配し、前記蓋部材を前記蓋取付部に対して相対的に回転させることで、複数の前記突条部と複数の前記爪部とが係合するものであり、
さらに前記蓋付容器は、前記容器本体に前記蓋部材を取り付けた状態では、前記蓋側壁部と前記蓋取付部の外側側面の間であり、且つ、前記円板部の周方向で離間する前記爪部の間の少なくとも一部に隙間が形成されるものであり、
前記容器本体から前記蓋部材を取り外し易い状態にする蓋オープナーであって、
挿入部と把持部を有し、
前記挿入部は、少なくとも一部が前記隙間に挿入される部分であり、
前記把持部は、使用者が把持する部分となるものであり、
前記挿入部と前記把持部は、一体に形成され、前記挿入部と前記把持部の境界に位置する屈曲部で屈曲して延びており、
前記挿入部を前記隙間に挿入し、前記隙間に挿入された部分とは異なる一部分を前記本体角部に接触させ、前記把持部を前記容器本体に近接させることで、前記蓋部材の一部分を前記容器本体から離れる方向へ移動させることが可能であることを特徴とする蓋オープナー。
【請求項２】
前記挿入部と前記把持部は共に平板状であり、
前記挿入部は、前記把持部の一端側と連続する部分を基端側部分として、前記把持部から離れる方向に延びる部分であり、
前記挿入部の先端側部分を平面視したとき、先端側に向かうにつれて幅方向の長さが短くなっており、前記挿入部の先端側端部が丸みを帯びた形状であって、
さらに前記屈曲部が丸みを帯びた形状であることを特徴とする請求項１に記載の蓋オープナー。
【請求項３】
前記挿入部の前記把持部に対する屈曲角度が２０度以上４０度以下であることを特徴とする請求項１又は２に記載の蓋オープナー。
【請求項４】
前記把持部の長さが前記挿入部の長さよりも長いことを特徴とする請求項１乃至３のいずれかに記載の蓋オープナー。
【請求項５】
前記蓋付容器は、前記隙間の開口が前記つなぎ部から上方に離れた位置にあり、
前記隙間の開口と前記つなぎ部の間に形成される空隙は環状に連続するものであり、当該空隙は、前記蓋取付部の外側側面と前記容器本体の外側側面よりも前記円板部の径方向内側へ窪んだ窪み部分を形成するものであることを特徴とする請求項１乃至４のいずれかに記載の蓋オープナー。
【請求項６】
前記挿入部は、先端側の一部を前記隙間に挿入するものであり、
前記挿入部を前記隙間に挿入した状態での前記挿入部の先端側から前記本体角部までの距離は、前記挿入部の長さよりも短く、
前記挿入部の一部を前記本体角部に接触させ、前記把持部を前記容器本体に近接させることで、前記蓋部材の一部分を前記容器本体から離れる方向へ移動させることが可能であることを特徴とする請求項１乃至５のいずれかに記載の蓋オープナー。
【請求項７】
蓋部材と容器本体を備えた特定形状の蓋付容器を使用対象とする蓋オープナーにおいて、
前記容器本体は、上端部分に開口を有する容器であり、開口周辺に位置する蓋取付部と、その下方側に位置する本体部とを有し、
前記蓋取付部は、前記容器本体の外周縁よりも内側に位置する略円筒状の部分であり、その外側側面に複数の突条部が設けられており、
複数の前記突条部は、間隔を空けて並列配置されており、
さらに前記容器本体は、前記蓋取付部の外側側面と、前記容器本体の外側側面と、その間に位置するつなぎ部とが段状に連続しており、
前記蓋部材は、前記容器本体の開口を覆う円板部と、円板部の縁端から下方側へ垂下される円環状の蓋側壁部とが一体に形成された部材であり、
前記蓋側壁部の内側側面には、前記円板部の径方向内側へ突出する爪部が複数設けられており、複数の前記爪部が前記円板部の周方向で間隔を空けて配されており、
前記蓋付容器は、前記蓋部材を前記蓋取付部の上に配し、前記蓋部材を前記蓋取付部に対して相対的に回転させることで、複数の前記突条部と複数の前記爪部とが係合するものであり、
さらに前記蓋付容器は、前記容器本体に前記蓋部材を取り付けた状態では、前記蓋側壁部と前記蓋取付部の外側側面の間であり、且つ、前記円板部の周方向で離間する前記爪部の間の少なくとも一部に隙間が形成されるものであり、
前記容器本体から前記蓋部材を取り外し易い状態にする蓋オープナーであって、
挿入部と把持部を有し、
前記挿入部は、少なくとも一部が前記隙間に挿入される部分であり、
前記把持部は、使用者が把持する部分となるものであり、
前記挿入部と前記把持部は、一体に形成され、前記挿入部と前記把持部の境界に位置する屈曲部で屈曲して延びており、
前記挿入部を前記隙間に挿入し、前記隙間に挿入された部分とは異なる一部分を前記つなぎ部に接触させ、前記把持部を前記容器本体に近接させることで、前記蓋部材の一部分を前記容器本体から離れる方向へ移動させることが可能であることを特徴とする蓋オープナー。
【請求項８】
前記つなぎ部と前記容器本体の外側側面の境界には、角部分である本体角部が形成されるものであり、
前記挿入部は、先端側の一部を前記隙間に挿入するものであり、
前記挿入部を前記隙間に挿入した状態での前記挿入部の先端側から前記本体角部までの距離は、前記挿入部の長さよりも長く、
前記屈曲部を前記つなぎ部に接触させ、前記把持部を前記容器本体に近接させることで、前記蓋部材の一部分を前記容器本体から離れる方向へ移動させることが可能であることを特徴とする請求項７に記載の蓋オープナー。
【請求項９】
蓋部材と容器本体を備えた蓋付容器と、前記容器本体から前記蓋部材を取り外し易い状態にする蓋オープナーからなる蓋付容器とオープナーの組み合わせであって、
前記容器本体は、上端部分に開口を有する容器であり、開口周辺に位置する蓋取付部と、その下方側に位置する本体部とを有し、
前記蓋取付部は、前記容器本体の外周縁よりも内側に位置する略円筒状の部分であり、その外側側面に複数の突条部が設けられており、
複数の前記突条部は、間隔を空けて並列配置されており、
さらに前記容器本体は、前記蓋取付部の外側側面と、前記容器本体の外側側面と、その間に位置するつなぎ部とが段状に連続しており、且つ、前記つなぎ部と前記容器本体の外側側面の境界には、丸みを帯びた形状の角部分である本体角部が形成されるものであり、
前記蓋部材は、前記容器本体の開口を覆う円板部と、円板部の縁端から下方側へ垂下される円環状の蓋側壁部とが一体に形成された部材であり、
前記蓋側壁部の内側側面には、前記円板部の径方向内側へ突出する爪部が複数設けられており、複数の前記爪部が前記円板部の周方向で間隔を空けて配されており、
前記蓋付容器は、前記蓋部材を前記蓋取付部の上に配し、前記蓋部材を前記蓋取付部に対して相対的に回転させることで、複数の前記突条部と複数の前記爪部とが係合するものであり、
さらに前記蓋付容器は、前記容器本体に前記蓋部材を取り付けた状態では、前記蓋側壁部と前記蓋取付部の外側側面の間であり、且つ、前記円板部の周方向で離間する前記爪部の間の少なくとも一部に隙間が形成されるものであり、
前記蓋オープナーは、挿入部と把持部を有し、
前記挿入部は、少なくとも一部が前記隙間に挿入される部分であり、
前記把持部は、使用者が把持する部分となるものであり、
前記挿入部と前記把持部は、一体に形成され、前記挿入部と前記把持部の境界に位置する屈曲部で屈曲して延びており、
さらに前記蓋オープナーは、前記挿入部を前記隙間に挿入し、前記隙間に挿入された部分とは異なる一部分を前記本体角部に接触させ、前記蓋オープナーの前記把持部を前記容器本体に近接させることで、前記蓋部材の一部分を前記容器本体から離れる方向へ移動させることが可能であることを特徴とする蓋付容器とオープナーの組み合わせ。
【請求項１０】
蓋オープナーを用いて特定形状の蓋付容器の蓋を開ける蓋開け方法であり、
前記蓋付容器は、蓋部材と容器本体を備え、
前記容器本体は、上端部分に開口を有する容器であり、開口周辺に位置する蓋取付部と、その下方側に位置する本体部とを有し、
前記蓋取付部は、前記容器本体の外周縁よりも内側に位置する略円筒状の部分であり、その外側側面に複数の突条部が設けられており、
複数の前記突条部は、間隔を空けて並列配置されており、
さらに前記容器本体は、前記蓋取付部の外側側面と、前記容器本体の外側側面と、その間に位置するつなぎ部とが段状に連続しており、且つ、前記つなぎ部と前記容器本体の外側側面の境界には、丸みを帯びた形状の角部分である本体角部が形成されるものであり、
前記蓋部材は、前記開口を覆う円板部と、円板部の縁端から下方側へ垂下される円環状の蓋側壁部とが一体に形成された部材であり、
前記蓋側壁部の内側側面には、前記円板部の径方向内側へ突出する爪部が複数設けられており、複数の前記爪部が前記円板部の周方向で間隔を空けて配されており、
前記蓋付容器は、前記蓋部材を前記蓋取付部の上に配し、前記蓋部材を前記蓋取付部に対して相対的に回転させることで、複数の前記突条部と複数の前記爪部とが係合するものであり、
さらに前記蓋付容器は、前記容器本体に前記蓋部材を取り付けた状態では、前記蓋側壁部と前記蓋取付部の外側側面の間であり、且つ、前記円板部の周方向で離間する前記爪部の間の少なくとも一部に隙間が形成されるものであり、
前記蓋オープナーは、挿入部と把持部を有し、
前記挿入部は、少なくとも一部が前記隙間に挿入される部分であり、
前記把持部は、使用者が把持する部分となるものであり、
前記挿入部と前記把持部は、一体に形成され、前記挿入部と前記把持部の境界に位置する屈曲部で屈曲して延びており、
前記蓋オープナーで前記容器本体から前記蓋部材を取り外す蓋開け方法であって、
前記容器本体から前記蓋部材を取り外し易い状態とする蓋緩め工程と、
前記蓋部材を前記容器本体から取り外す工程を実施するものであり、
前記蓋緩め工程では、前記蓋オープナーの前記挿入部を前記蓋付容器の前記隙間に挿入する工程と、
前記蓋オープナーの一部を前記本体角部に接触させる工程と、
前記把持部を前記容器本体に近接させる工程を実施することを特徴とする蓋開け方法。
【発明の詳細な説明】
【技術分野】
【０００１】
本発明は、特定形状の蓋付容器の蓋を取り外し易くする蓋オープナーに関する。また、そのような特定形状の蓋付容器とオープナーの組み合わせや、そのような蓋オープナーを使用する蓋開け方法に関する。
【背景技術】
【０００２】
従来、ジャムやハチミツといった食料品や、化粧品等の容器として使用するガラス製の保存ビンが広く知られている。このような保存ビンは、通常、備え付けの蓋によって密閉され、内容物を取り出す際に蓋を開けて使用する蓋付容器となっている。
【０００３】
ところで、このような保存ビンでは、取り付けた蓋が固く閉まった状態となり、空け難くなることがある。
例えば、製品への蓋装着時に品質保持等を目的に内部を真空状態とすることにより、蓋が開き難くなることがある。また、保存ビンが密閉された状態で内部の空気が冷やされる等することにより、圧力がかかって蓋が開き難くなることがある。
【０００４】
このような場合に蓋を開けやすくする工具として、特許文献１に開示された工具が知られている。
特許文献１に開示された工具は、使用者が把持する細長い柄の先端部分にあご部を取り付けて形成されている。そして、このあご部が、ビン蓋の上面に接触させる上板状部分と、ビン蓋の下面に接触させる下板状部分と、その間に位置してこれらを連結する立板状部分とを有する構造となっている。言い換えると、上板状部分、立板状部分、下板状部分が略コ字状に連続する構造となっている。
【０００５】
そして、あご部のうちで上板状部分と下板状部分の間に形成される空間に、ビン蓋の周縁部分を挿入し、柄の上方へ移動させる（ビンから離れる方向へ移動させる）ことで、ビン蓋を変形させて取り外す構造となっている。
すなわち、上板状部分のうちでビン蓋の上面に接触する部分を支点として、あご部を回転させることで、ビン蓋を取り外すものとなっている。
【先行技術文献】
【特許文献】
【０００６】
【特許文献１】特表平７−５０４３８４号公報
【発明の概要】
【発明が解決しようとする課題】
【０００７】
しかしながら、特許文献１に開示された工具は、必然的にビン蓋が塑性変形してしまうので、その後ビン蓋が使用できなくなるという問題があった。
また、工具の構造が複雑であり安価に製造できないという問題もあった。すなわち、製造にコストがかかることから、例えば、蓋付容器を販売する際におまけとして付加するといったことが困難であった。
【０００８】
そこで本発明は、特定形状の蓋付容器の蓋を取り外す際、複雑な構造のオープナーを使用することなく、蓋の破損を抑制しつつ簡単に取り外し易い状態とすることが可能な技術を提供することを課題とする。
【課題を解決するための手段】
【０００９】
かかる課題を解決するため本発明者が鋭意研究した結果、特定形状の蓋付容器の蓋を開ける際、容器の形状を利用して蓋を開けることにより、蓋オープナーの構造を簡易化できることを見出した。
かかる知見に基づいて提供される請求項１に記載の発明は、蓋部材と容器本体を備えた特定形状の蓋付容器を使用対象とする蓋オープナーにおいて、前記容器本体は、上端部分に開口を有する容器であり、開口周辺に位置する蓋取付部と、その下方側に位置する本体部とを有し、前記蓋取付部は、前記容器本体の外周縁よりも内側に位置する略円筒状の部分であり、その外側側面に複数の突条部が設けられており、複数の前記突条部は、間隔を空けて並列配置されており、さらに前記容器本体は、前記蓋取付部の外側側面と、前記容器本体の外側側面と、その間に位置するつなぎ部とが段状に連続しており、且つ、前記つなぎ部と前記容器本体の外側側面の境界には、丸みを帯びた形状の角部分である本体角部が形成されるものであり、前記蓋部材は、前記容器本体の開口を覆う円板部と、円板部の縁端から下方側へ垂下される円環状の蓋側壁部とが一体に形成された部材であり、前記蓋側壁部の内側側面には、前記円板部の径方向内側へ突出する爪部が複数設けられており、複数の前記爪部が前記円板部の周方向で間隔を空けて配されており、前記蓋付容器は、前記蓋部材を前記蓋取付部の上に配し、前記蓋部材を前記蓋取付部に対して相対的に回転させることで、複数の前記突条部と複数の前記爪部とが係合するものであり、さらに前記蓋付容器は、前記容器本体に前記蓋部材を取り付けた状態では、前記蓋側壁部と前記蓋取付部の外側側面の間であり、且つ、前記円板部の周方向で離間する前記爪部の間の少なくとも一部に隙間が形成されるものであり、前記容器本体から前記蓋部材を取り外し易い状態にする蓋オープナーであって、挿入部と把持部を有し、前記挿入部は、少なくとも一部が前記隙間に挿入される部分であり、前記把持部は、使用者が把持する部分となるものであり、前記挿入部と前記把持部は、一体に形成され、前記挿入部と前記把持部の境界に位置する屈曲部で屈曲して延びており、前記挿入部を前記隙間に挿入し、前記隙間に挿入された部分とは異なる一部分を前記本体角部に接触させ、前記把持部を前記容器本体に近接させることで、前記蓋部材の一部分を前記容器本体から離れる方向へ移動させることが可能であることを特徴とする蓋オープナーである。
【００１０】
本発明の蓋オープナーは、蓋を径方向外側に広げるように変形させることが可能であり、蓋を僅かに変形させて容器本体内に空気を導入することで、蓋を開け易い状態とすることができる。すなわち、蓋を大きく変形させる必要がなく、蓋を破損させずに蓋を取り外し易い状態とすることができる。また、容器の形状を利用して蓋を開ける構造とすることで、蓋オープナーの全体形状を簡易な構造とすることが可能であり、安価な提供が可能となる。
【００１１】
請求項２に記載の発明は、前記挿入部と前記把持部は共に平板状であり、前記挿入部は、前記把持部の一端側と連続する部分を基端側部分として、前記把持部から離れる方向に延びる部分であり、前記挿入部の先端側部分を平面視したとき、先端側に向かうにつれて幅方向の長さが短くなっており、前記挿入部の先端側端部が丸みを帯びた形状であって、さらに前記屈曲部が丸みを帯びた形状であることを特徴とする請求項１に記載の蓋オープナーである。
【００１２】
かかる構成によると、使用時に蓋付容器が傷つき難いので好ましい。
【００１３】
本発明は、前記挿入部の前記把持部に対する屈曲角度が２０度以上４０度以下であることが特に好ましい（請求項３）。
【００１４】
請求項４に記載の発明は、前記把持部の長さが前記挿入部の長さよりも長いことを特徴とする請求項１乃至３のいずれかに記載の蓋オープナーである。
【００１５】
かかる構成によると、より小さな力で蓋部材を変形させることができるので、女性のような力が弱い使用者であっても好適に使用できる。
【００１６】
請求項５に記載の発明は、前記蓋付容器は、前記隙間の開口が前記つなぎ部から上方に離れた位置にあり、前記隙間の開口と前記つなぎ部の間に形成される空隙は環状に連続するものであり、当該空隙は、前記蓋取付部の外側側面と前記容器本体の外側側面よりも前記円板部の径方向内側へ窪んだ窪み部分を形成するものであることを特徴とする請求項１乃至４のいずれかに記載の蓋オープナーである。
【００１７】
かかる構成によると、挿入部を隙間に挿入し易く、特に好ましい。
【００１８】
請求項６に記載の発明は、前記挿入部は、先端側の一部を前記隙間に挿入するものであり、前記挿入部を前記隙間に挿入した状態での前記挿入部の先端側から前記本体角部までの距離は、前記挿入部の長さよりも短く、前記挿入部の一部を前記本体角部に接触させ、前記把持部を前記容器本体に近接させることで、前記蓋部材の一部分を前記容器本体から離れる方向へ移動させることが可能であることを特徴とする請求項１乃至５のいずれかに記載の蓋オープナーである。
【００１９】
かかる構成によると、少しずつ蓋部材に力を加えて変形させることが可能であり、より蓋部材を破損し難くすることが可能となっている。
【００２０】
請求項７に記載の発明は、蓋部材と容器本体を備えた特定形状の蓋付容器を使用対象とする蓋オープナーにおいて、前記容器本体は、上端部分に開口を有する容器であり、開口周辺に位置する蓋取付部と、その下方側に位置する本体部とを有し、前記蓋取付部は、前記容器本体の外周縁よりも内側に位置する略円筒状の部分であり、その外側側面に複数の突条部が設けられており、複数の前記突条部は、間隔を空けて並列配置されており、さらに前記容器本体は、前記蓋取付部の外側側面と、前記容器本体の外側側面と、その間に位置するつなぎ部とが段状に連続しており、前記蓋部材は、前記容器本体の開口を覆う円板部と、円板部の縁端から下方側へ垂下される円環状の蓋側壁部とが一体に形成された部材であり、前記蓋側壁部の内側側面には、前記円板部の径方向内側へ突出する爪部が複数設けられており、複数の前記爪部が前記円板部の周方向で間隔を空けて配されており、前記蓋付容器は、前記蓋部材を前記蓋取付部の上に配し、前記蓋部材を前記蓋取付部に対して相対的に回転させることで、複数の前記突条部と複数の前記爪部とが係合するものであり、さらに前記蓋付容器は、前記容器本体に前記蓋部材を取り付けた状態では、前記蓋側壁部と前記蓋取付部の外側側面の間であり、且つ、前記円板部の周方向で離間する前記爪部の間の少なくとも一部に隙間が形成されるものであり、前記容器本体から前記蓋部材を取り外し易い状態にする蓋オープナーであって、挿入部と把持部を有し、前記挿入部は、少なくとも一部が前記隙間に挿入される部分であり、前記把持部は、使用者が把持する部分となるものであり、前記挿入部と前記把持部は、一体に形成され、前記挿入部と前記把持部の境界に位置する屈曲部で屈曲して延びており、前記挿入部を前記隙間に挿入し、前記隙間に挿入された部分とは異なる一部分を前記つなぎ部に接触させ、前記把持部を前記容器本体に近接させることで、前記蓋部材の一部分を前記容器本体から離れる方向へ移動させることが可能であることを特徴とする蓋オープナーである。
【００２１】
このような蓋オープナーにおいても、上記した蓋オープナーと同様に、蓋を破損させずに蓋を取り外し易い状態とすることができる。さらに、上記した蓋オープナーと同様に、安価な提供が可能となる。
【００２２】
請求項８に記載の発明は、前記つなぎ部と前記容器本体の外側側面の境界には、角部分である本体角部が形成されるものであり、前記挿入部は、先端側の一部を前記隙間に挿入するものであり、前記挿入部を前記隙間に挿入した状態での前記挿入部の先端側から前記本体角部までの距離は、前記挿入部の長さよりも長く、前記屈曲部を前記つなぎ部に接触させ、前記把持部を前記容器本体に近接させることで、前記蓋部材の一部分を前記容器本体から離れる方向へ移動させることが可能であることを特徴とする請求項７に記載の蓋オープナーである。
【００２３】
かかる構成によると、少しずつ蓋部材に力を加えて変形させることが可能であり、より蓋部材を破損し難くすることが可能となっている。
【００２４】
請求項９に記載の発明は、蓋部材と容器本体を備えた蓋付容器と、前記容器本体から前記蓋部材を取り外し易い状態にする蓋オープナーからなる蓋付容器とオープナーの組み合わせであって、前記容器本体は、上端部分に開口を有する容器であり、開口周辺に位置する蓋取付部と、その下方側に位置する本体部とを有し、前記蓋取付部は、前記容器本体の外周縁よりも内側に位置する略円筒状の部分であり、その外側側面に複数の突条部が設けられており、複数の前記突条部は、間隔を空けて並列配置されており、さらに前記容器本体は、前記蓋取付部の外側側面と、前記容器本体の外側側面と、その間に位置するつなぎ部とが段状に連続しており、且つ、前記つなぎ部と前記容器本体の外側側面の境界には、丸みを帯びた形状の角部分である本体角部が形成されるものであり、前記蓋部材は、前記容器本体の開口を覆う円板部と、円板部の縁端から下方側へ垂下される円環状の蓋側壁部とが一体に形成された部材であり、前記蓋側壁部の内側側面には、前記円板部の径方向内側へ突出する爪部が複数設けられており、複数の前記爪部が前記円板部の周方向で間隔を空けて配されており、前記蓋付容器は、前記蓋部材を前記蓋取付部の上に配し、前記蓋部材を前記蓋取付部に対して相対的に回転させることで、複数の前記突条部と複数の前記爪部とが係合するものであり、さらに前記蓋付容器は、前記容器本体に前記蓋部材を取り付けた状態では、前記蓋側壁部と前記蓋取付部の外側側面の間であり、且つ、前記円板部の周方向で離間する前記爪部の間の少なくとも一部に隙間が形成されるものであり、前記蓋オープナーは、挿入部と把持部を有し、前記挿入部は、少なくとも一部が前記隙間に挿入される部分であり、前記把持部は、使用者が把持する部分となるものであり、前記挿入部と前記把持部は、一体に形成され、前記挿入部と前記把持部の境界に位置する屈曲部で屈曲して延びており、さらに前記蓋オープナーは、前記挿入部を前記隙間に挿入し、前記隙間に挿入された部分とは異なる一部分を前記本体角部に接触させ、前記蓋オープナーの前記把持部を前記容器本体に近接させることで、前記蓋部材の一部分を前記容器本体から離れる方向へ移動させることが可能であることを特徴とする蓋付容器とオープナーの組み合わせである。
【００２５】
本発明においても、上記と同様に、蓋付容器の蓋を破損させずに取り外し易い状態とすることができる。さらに、上記と同様に、蓋オープナーの安価な提供が可能となる。
【００２６】
請求項１０に記載の発明は、蓋オープナーを用いて特定形状の蓋付容器の蓋を開ける蓋開け方法であり、前記蓋付容器は、蓋部材と容器本体を備え、前記容器本体は、上端部分に開口を有する容器であり、開口周辺に位置する蓋取付部と、その下方側に位置する本体部とを有し、前記蓋取付部は、前記容器本体の外周縁よりも内側に位置する略円筒状の部分であり、その外側側面に複数の突条部が設けられており、複数の前記突条部は、間隔を空けて並列配置されており、さらに前記容器本体は、前記蓋取付部の外側側面と、前記容器本体の外側側面と、その間に位置するつなぎ部とが段状に連続しており、且つ、前記つなぎ部と前記容器本体の外側側面の境界には、丸みを帯びた形状の角部分である本体角部が形成されるものであり、前記蓋部材は、前記開口を覆う円板部と、円板部の縁端から下方側へ垂下される円環状の蓋側壁部とが一体に形成された部材であり、前記蓋側壁部の内側側面には、前記円板部の径方向内側へ突出する爪部が複数設けられており、複数の前記爪部が前記円板部の周方向で間隔を空けて配されており、前記蓋付容器は、前記蓋部材を前記蓋取付部の上に配し、前記蓋部材を前記蓋取付部に対して相対的に回転させることで、複数の前記突条部と複数の前記爪部とが係合するものであり、さらに前記蓋付容器は、前記容器本体に前記蓋部材を取り付けた状態では、前記蓋側壁部と前記蓋取付部の外側側面の間であり、且つ、前記円板部の周方向で離間する前記爪部の間の少なくとも一部に隙間が形成されるものであり、前記蓋オープナーは、挿入部と把持部を有し、前記挿入部は、少なくとも一部が前記隙間に挿入される部分であり、前記把持部は、使用者が把持する部分となるものであり、前記挿入部と前記把持部は、一体に形成され、前記挿入部と前記把持部の境界に位置する屈曲部で屈曲して延びており、前記蓋オープナーで前記容器本体から前記蓋部材を取り外す蓋開け方法であって、前記容器本体から前記蓋部材を取り外し易い状態とする蓋緩め工程と、前記蓋部材を前記容器本体から取り外す工程を実施するものであり、前記蓋緩め工程では、前記蓋オープナーの前記挿入部を前記蓋付容器の前記隙間に挿入する工程と、前記蓋オープナーの一部を前記本体角部に接触させる工程と、前記把持部を前記容器本体に近接させる工程を実施することを特徴とする蓋開け方法である。
【００２７】
本発明の蓋開け方法においても、蓋付容器の蓋を破損させずに取り外し易い状態とすることが容易に可能となっている。また、蓋付容器の蓋を開けるために複雑な形状の蓋オープナーが必要なく、好ましい。
【発明の効果】
【００２８】
本発明によると、特定形状の蓋付容器の蓋を取り外す際、複雑な構造のオープナーを使用することなく、蓋の破損を抑制しつつ簡単に取り外し易い状態とすることが可能な技術を提供できる。
【図面の簡単な説明】
【００２９】
【図１】本発明の実施形態に係るオープナー付き蓋付容器を示す斜視図である。
【図２】図１の蓋オープナーを示す図であり、（ａ）は斜視図、（ｂ）は側面図、（ｃ）は平面図である。
【図３】図１の蓋付容器を示す斜視図であり、蓋部材を容器本体から取り外し、蓋部材を天地逆とした様子を示す。
【図４】図３の容器本体の一部又は全体を示す説明図であり、（ａ）は蓋取付部を平面的に展開した展開図であり、（ｂ）は容器本体を示す側面図である。
【図５】図１の蓋付容器を示すＡ−Ａ断面図であり、蓋部材を取り付けた蓋付容器を示す。
【図６】図１の蓋オープナーで蓋部材を取り外し易くする様子を示す説明図であり、（ａ）、（ｂ）の順で蓋オープナーを動かす様子を模式的に示す。
【図７】図１とは異なる実施形態に係る蓋オープナーを示す斜視図であり、（ａ）、（ｂ）はそれぞれ異なる実施形態の蓋オープナーを示す。
【図８】図１とは異なる実施形態に係る蓋オープナーで蓋部材を取り外し易くする様子を模式的に示す説明図である。
【発明を実施するための形態】
【００３０】
以下、本発明の実施形態に係るオープナー付き蓋付容器１（蓋付容器とオープナーの組み合わせ）について、図面を参照しつつ詳細に説明する。
なお、以下の説明において、上下方向は、特に断りのない限り、図１で示される状態を基準として説明する。
【００３１】
本実施形態のオープナー付き蓋付容器１は、図１で示されるように、蓋オープナー２と蓋付容器３とが組み合わされたものである。
【００３２】
蓋オープナー２は、図２で示されるように、ステンレス等の適宜な金属で形成された平板状の部材であり、一部が所定角度（詳しくは後述する）で屈曲しつつ延びる板状部材となっている。
【００３３】
具体的には、蓋オープナー２は、板状片を折り曲げて形成される部材であり、使用者が把持するため部分となる把持部１０と、把持部１０の一端から延びる挿入部１１を備えた構造となっている。
【００３４】
把持部１０は、平面視形状が略長方形平板状となる部分であり、長手方向における片側部分の角部分が丸みを帯びた形状となっている。
【００３５】
挿入部１１は、把持部１０の長手方向の他端側から延びる部分であり、略三角板状の部分である。
この挿入部１１は、延び方向における基端側部分が把持部１０の端部と連続しており、把持部１０から離れるにつれて（先端側部分に向かうにつれて）、幅方向の長さが短くなる部分である。
なお、ここでいう挿入部１１の「幅方向の長さ」とは、挿入部１１の延び方向及び厚さ方向と直交する方向である。
【００３６】
また、この挿入部１１の先端側部分は、先端側部分の形状が丸みを帯びた形状となっており、両主面の間をつなぐ側面部分が湾曲面となっている。
【００３７】
ここで、上記したように、蓋オープナー２は板状片を折り曲げ形成したものであり、把持部１０と挿入部１１の境界部分には、折り曲げ部分である屈曲部１２が形成されている。つまり、蓋オープナー２は、屈曲部１２で折り曲げられた板状片である。
【００３８】
本実施形態の蓋オープナー２では、屈曲部１２に形成される角部分が丸みを帯びた形状となっている。すなわち、把持部１０と挿入部１１の厚さ方向における一端面同士の間に位置する部分と、他端面同士の間に位置する部分のそれぞれが丸みを帯びた形状となっている。
つまり、把持部１０の一方の主面と挿入部１１の一方の主面の間に湾曲面が位置し、把持部１０の他方の主面と挿入部１１の他方の主面の間にもまた、湾曲面が位置している。
【００３９】
ここで、図２（ｂ）で示されるように、挿入部１１の把持部１０に対する屈曲角度αは、２０度以上４０度以下であることが好ましく、本実施形態では３０度程度となっている。
なお、ここでいう屈曲角度αとは、把持部１０の両主面を水平面と平行となる姿勢で配置したとき、水平面に対する挿入部１１の傾斜角度である。言い換えると、把持部１０の長手方向に延びる直線と挿入部１１の長手方向に延びる直線のなす角である。
また、ここでいう「程度」とは数パーセントの誤差（公差）を含むものとし、以下の記載についても同様である。
【００４０】
さらに、本実施形態の蓋オープナー２は、図２（ｃ）で示されるように、把持部１０の平面視における長さＬ１が、挿入部１１の平面視における長さＬ２よりも長くなっている。
また、把持部１０の平面視における長さＬ１は、把持部１０の全体長さ（長手方向の長さ）と同じ長さであり、この長さＬ１は、挿入部１１の全体長さＬ３（長手方向の長さ）よりも長くなっている。より詳細には、把持部１０の全体長さＬ１は、挿入部１１の全体長さＬ３の２倍程度の長さとなっている。
【００４１】
蓋付容器３は、図１、図３で示されるように、容器本体２０と蓋部材２１を備えたものとなっている。すなわち、容器本体２０の中から内容物を取り出す際には、容器本体２０から蓋部材２１を取り外した状態とし、内容物を保存する場合には、蓋部材２１を取り付けた状態とするものである。
【００４２】
容器本体２０は、上端部分に開口２５を有するガラス製の容器であり、上側に位置する蓋取付部３０と、下側に位置する本体部３１とが一体となって形成される部分である。
【００４３】
蓋取付部３０は、環状に連続する略円筒状の部分であり、図４で示されるように、下端周辺に位置する部分がくびれた形状となっている。すなわち上側の大部分に位置する大径部３０ａと、下端側に位置する小径部３０ｂとが一体となって形成されている。
【００４４】
蓋取付部３０の外側側面のうち、大径部３０ａの外側側面には突条部３５が複数形成されている。
突条部３５は、大径部３０ａの外側側面からさらに外側に突出する部分であり、蓋取付部３０の側面に沿って斜め方向に延びる部分である。
そして、図４（ａ）で示されるように、第１突条部３５ａと、第１突条部３５ａよりも長手方向の長さが短い第２突条部３５ｂとがそれぞれ複数形成されている。具体的には、４つの第１突条部３５ａと、２つの第２突条部３５ｂからなる６つの突条部３５がそれぞれ形成されている。
【００４５】
突条部３５は、いずれも長手方向の一端側が他方端側に比べて低位置となるように配されている。より詳細には、長手方向の一端側が大径部３０ａの側面における下端側近傍に位置しており、他方端側へ向かうにつれて徐々に高位置となるように延びている。
【００４６】
ここで、複数の突条部３５の上端部分の位置は、いずれも同一の高さ（又は略同一の高さ）となるように形成されている。対して、突条部３５の下端部分の位置は、第２突条部３５ｂの下端部分の位置が第１突条部３５ａの下端部分の位置よりもやや上方に位置するように形成されている。
【００４７】
ここで、図４（ａ）で示されるように、大径部３０ａを周方向に沿って平面に展開した状態で、それぞれの突条部３５が斜め方向に延びている。つまり、水平方向の一方側に向かうにつれて高さが高くなるように延びている。
さらにこのとき、それぞれの突条部３５の傾斜角度であり、それぞれの延び方向の水平面に対する傾斜角度は、同一（又は略同一）の角度となっている。
また、略同一の角度とは、数パーセントの誤差を含むものとする。
【００４８】
さらに、それぞれの突条部３５は、図４等で示されるように、幅方向の中心付近が最も外側へ突出する形状となっており、突出端部分から上方と下方のそれぞれに向かうにつれて突出長さが少なくなる形状となっている。
なお、ここでいう幅方向の長さとは、突出方向及び延び方向と直交する方向の長さとなっている。
つまり、それぞれの突条部３５は、断面形状が丸みを帯びた山なりとなる形状で延びる部分となっている。
【００４９】
さらに、それぞれの突条部３５は、長手方向における端部周辺の部分が、端部に向かうにつれて幅方向の長さが短くなる形状となっている。そして、この長手方向における端部が丸みを帯びた形状となっている。
【００５０】
ここで、それぞれの突条部３５は、大径部３０ａの周方向で間隔を空けて並列している。そして、大径部３０ａの側面のうち、２つの突条部３５の間に位置する領域が空隙形成領域３７となっている。
この空隙形成領域３７は、大径部３０ａの周方向で並列する２つの突条部３５の間に位置し、下端から上端までの間に突条部３５が位置しない領域である。
つまり、この空隙形成領域３７は、大径部３０ａの外側側面の一部であり、側面の下端から上端までの間で連続しつつ大径部３０ａの周方向に広がる領域であって、且つ、突条部３５が形成されない領域となっている。
【００５１】
本実施形態では、大径部３０ａが複数（６つ）の空隙形成領域３７を有する構造となっており、それぞれの空隙形成領域３７が大径部３０ａの周方向で間隔を空けて並列するように配されている。
なお、第１突条部３５ａの上端部分と第２突条部３５ｂの下端部分の間に形成される空隙形成領域３７は、第２突条部３５ｂの上端部分と第１突条部３５ａの下端部分の間に形成される空隙形成領域３７よりも大径部３０ａの周方向における長さが長くなっている。
【００５２】
本体部３１は、下端側の一部がくびれた形状の有底円筒状の部分である。
詳細に説明すると、本体部３１の上側に位置する大部分は、下方側に向かうにつれて径方向の長さが徐々に短くなる略円筒状の部分となっている。そして、上側に位置する大部分の外側側面と、下端側周辺に位置する狭径部分の外側側面とが湾曲面を介して連続する形状となっている。
【００５３】
ここで、図４（ｂ）等で示されるように、本体部３１の上端周辺では、本体部３１の外側側面が蓋取付部３０（小径部３０ｂ）の外側側面よりも蓋取付部３０の径方向で外側に離れた位置に配されている。
そして、蓋取付部３０（小径部３０ｂ）の外側側面と本体部３１の外側側面とが段状に連続しており、これらの間につなぎ部４０が位置している。
【００５４】
つなぎ部４０は、小径部３０ｂの外側側面よりも蓋取付部３０の径方向で外側となる位置において、本体部３１の上面を形成する部分である。
このつなぎ部４０は、図３、図４（ｂ）で示されるように、蓋取付部３０の周方向に沿って環状に連続する部分となっている。そして、つなぎ部４０の上面は、図４（ｂ）で示されるように、なだらかに傾斜した傾斜面となっており、蓋取付部３０の径方向で外側に向かうにつれて高さが低くなっている。
【００５５】
また、つなぎ部４０の上面は、蓋取付部３０の外側側面と連続する面となっている。
ここで、つなぎ部４０の上面と蓋取付部３０の外側側面の境界部分には、丸みを帯びた角部分である本体角部４１が形成されている。
言い換えると、これらつなぎ部４０の上面と蓋取付部３０の外側側面とは、本体角部４１を介して連続する面となっている。
【００５６】
本体角部４１は、曲率半径が３ｍｍ以上５ｍｍ以下となるように形成される角部分であり、本実施形態では４ｍｍ程度となっている。
この本体角部４１は、大径部３０ａの外側側面よりも蓋取付部３０の径方向で外側となる位置に形成される部分である。
【００５７】
蓋部材２１は、図１、図３で示されるように、平面視形状が略円形と板状の円板部５０と、円板部５０の縁端部分から下方に垂下（図３では上方に突出）するように形成される蓋側壁部５１とが一体に形成された部材である。
すなわち、蓋側壁部５１は、円環状に連続する蓋部材２１の側壁を形成する部分である。
【００５８】
ここで、蓋側壁部５１の下端部分（図３では上端部分）には、円板部５０の径方向内側へ突出する爪部５３が複数形成されている。
具体的には、図３で示されるように、６つの爪部５３が円板部５０の周方向で間隔を空けて並列配置された状態となるように形成されている。この爪部５３の数は、上記した突条部３５の数（図４参照）と同数となっており、爪部５３のそれぞれが異なる突条部３５と係合可能となっている（詳しくは後述する）。
【００５９】
それぞれの爪部５３は、平面視形状が山なりとなる突起部分であり、突出端部分が丸みを帯びた形状となっている。
すなわち、爪部５３は、最も突出長さが長い突出端部分から、円板部５０の周方向における一方端と他方端のそれぞれに向かうにつれて徐々に突出長さが短くなる形状となっている。そして、突出端部分では、円板部５０の径方向内側へ向かって凸となり、円板部５０の周方向に延びる湾曲面が形成されている。
なお、爪部５３が形成されている部分から、円板部５０の径方向外側に隣接する位置では、周囲の部分よりも円板部５０の径方向内側に窪んだ部分である蓋窪み部５４が形成されている。
【００６０】
続いて、本実施形態の蓋付容器３につき、蓋部材２１を取り付けた状態について説明する。
【００６１】
本実施形態の蓋付容器３において、容器本体２０に蓋部材２１を取り付ける際には、まず、蓋部材２１の円板部５０が容器本体２０の開口２５を覆うように配置する。このとき、蓋部材２１に形成された複数の爪部５３がそれぞれ異なる突条部３５の上に載置された状態とする、又は、複数の爪部５３がそれぞれ異なる空隙形成領域３７と隣接した状態とする（図示を省略する）。
その上で、容器本体２０に対して蓋部材２１を相対的に回転させ、蓋部材２１を締め付けることで、蓋部材２１を取り付けた状態とする。
【００６２】
このとき、図５で示されるように、各々の爪部５３がそれぞれ別の突条部３５の下側（図５では手前側）に位置した状態となる。
詳細には、複数の爪部５３がそれぞれ異なる突条部３５に下方側から接触し、それぞれが突条部３５と密着した状態となっている。言い換えると、それぞれの爪部５３が突条部３５を下方側から押圧した状態となっている。
つまり、図６で示されるように、蓋部材２１が取り付けられた状態では、蓋部材２１の下端部分よりも下方側に突条部３５の下端部分が位置する構造となっている。このことから、蓋部材２１を締め付けていき、爪部５３を突条部３５の下面に沿って下方側へと移動させていくことで、爪部５３が突条部３５を下方側から押圧した状態となる。
【００６３】
このように複数の爪部５３のそれぞれが突条部３５と係合することで、蓋部材２１が取り付けられた状態となる。つまり、爪部５３と突条部３５は対となる係合部であり、これらの係合によって蓋部材２１が取り付けられる構造となっている。
なお、爪部５３が突条部３５と係合した状態では、爪部５３の突出端部分は大径部３０ａの外側側面よりも僅かに離れた位置に配された状態となる。
【００６４】
このように蓋部材２１を取り付けることで、図５で示されるように、円板部５０の周方向で間隔を空けて並列配置される２つの爪部５３の間に、下側から上側（図５では手前側から奥側）に延びる隙間５５が形成される。
【００６５】
具体的に説明すると、上記したように、大径部３０ａに空隙形成領域３７が形成されていることから（図４（ａ）等参照）、大径部３０ａの外側側面と蓋側壁部５１の間に、蓋側壁部５１の下端から上端まで延びる深い隙間（深隙間部５５ａ）が形成される。
すなわち、大径部３０ａの径方向において空隙形成領域３７の外側に隣接する位置に、深隙間部５５ａが形成されることとなる。
【００６６】
さらに、突条部３５は、上記したように、大径部３０ａの周方向に沿って徐々に上方に向かうように延びている（図４（ａ）等参照）。このため、大径部３０ａの外側側面と蓋側壁部５１の間であって、突条部３５の下面の一部よりも下方側となる位置に、蓋側壁部５１の下端から突条部３５の下面まで延びる浅い隙間（浅隙間部５５ｂ）が形成されることとなる。
【００６７】
この浅隙間部５５ｂは、突条部３５の下面のうちで、爪部５３と接触しない部分であり、大径部３０ａの下端よりも上方に離れた位置となる部分（図４（ｂ）等参照）の下方側に形成される隙間である。
【００６８】
以上のことから、図５で示されるように、円板部５０の周方向で間隔を空けて並列する２つの爪部５３の間の少なくとも一部には、上下方向（図５の手前奥方向）に延びる隙間５５が形成されることとなる。
より具体的には、２つの爪部５３の間に形成される隙間５５のうち、一部が大径部３０ａの径方向で空隙形成領域３７の外側に隣接する深隙間部５５ａとなっており、他の一部が突条部３５の下方側に形成される浅隙間部５５ｂとなっている。
【００６９】
なお、深隙間部５５ａは、大径部３０ａの径方向における長さＬ４が２．５ｍｍ以上５．５ｍｍ以下とすることが好ましく、本実施形態では４ｍｍ程度となっている。
そして、この大径部３０ａの径方向における長さＬ４は、大径部３０ａの内周面から蓋側壁部５１の外側側面までの距離と比べて２ｍｍ程度短くなっている。
【００７０】
さらに、本実施形態の蓋付容器３に対して蓋オープナー２を使用し、蓋部材２１を容器本体２０から取り外し易い状態とする手順について説明する。
【００７１】
まず、図６（ａ）で示されるように、大径部３０ａの外側側面と蓋側壁部５１の間に形成される隙間５５に蓋オープナー２の挿入部１１を挿入した状態とする。すなわち、空隙形成領域３７と隣接する位置に形成される深隙間部５５ａ（図５等参照）、又は、突条部３５の下方側に形成される浅隙間部５５ｂに対し、挿入部１１の一部である先端側部分を挿入する。
【００７２】
ここで、本実施形態の蓋付容器３は、蓋部材２１を閉じた状態において、蓋側壁部５１よりも下方側であり、つなぎ部４０よりも上方側となる位置に空隙が形成された状態となる。この空隙は円板部５０の周方向に沿って環状に連続しており、周囲よりも窪んだ窪み部５７（窪み部分）を形成する。
つまり、蓋側壁部５１の外側側面と、本体部３１の外側側面のうちで上端近傍に位置する部分とは、円板部５０の径方向（図６における左右方向）における位置が同一の位置又は近接する位置となっている。このことから、つなぎ部４０の上方に周囲よりも窪んだ窪み部５７が形成される。
【００７３】
そして、挿入部１１を挿入する隙間５５の開口は、蓋側壁部５１の下端周辺であって、且つ、つなぎ部４０よりも上方に離れた位置となる。したがって、本実施形態の蓋付容器３は、このような窪み部５７により、隙間５５の開口の周辺に比較的広いスペースを確保できるので、挿入部１１を挿入し易くなっている。
【００７４】
また、図６（ａ）で示されるように、大径部３０ａのいずれかの部分（外側側面又は突条部３５）に挿入部１１の先端側部分が接触するまで挿入したとき、挿入部１１の先端部分から本体角部４１までの距離が、挿入部１１の全体長さよりも短くなっている。
つまり、本実施形態の挿入部１１は、全体長さが十分に長くなるように形成されており、隙間５５に挿入することで、挿入部１１の一部が本体角部４１に接触した状態となる。
【００７５】
この状態から、把持部１０を本体部３１に近づける方向に移動させることで、図６（ｂ）で示されるように、挿入部１１の一部が蓋側壁部５１に内側（円板部５０の径方向における内側）から接触する。そして、把持部１０をそのまま移動させることで、蓋側壁部５１が一時的且つ軽微に変形し、蓋部材２１による密閉状態が解除され、蓋部材２１が開け易い状態となる。
つまり、把持部１０を下側へ向かう方向であり、且つ、容器本体２０の本体部３１に近づく方向に移動させることで、蓋オープナー２を本体角部４１と接触する部分を支点として回動させる。このことにより、挿入部１１の一部が蓋側壁部５１の一部を外側（円板部５０の径方向における外側）へ向かって押圧する。
【００７６】
本実施形態では、本体角部４１が丸みを帯びた形状となっており、使用者が把持部１０を少しずつ下方側へ移動させる際、力の入れ具合を調整し易く好ましい。
すなわち、使用者が把持部１０を過度に移動させてしまい、蓋側壁部５１に力が加わりすぎると、蓋側壁部５１が不可逆的に変形してしまうが、本実施形態では、把持部１０を移動させる際に力の入れ具合を調整し易く、このような問題の発生を抑制できる。
【００７７】
上記した実施形態では、空隙形成領域３７と隣接する位置に形成される深隙間部５５ａと、突条部３５の下方側に形成される浅隙間部５５ｂのいずれかに挿入部１１を挿入する例について説明した。しかしながら、本発明はこれに限るものではない。
ここで、突条部３５（図５等参照）の突出長さを短くした場合について考える。この場合、突条部３５の突出端と蓋側壁部５１の間に隙間が形成されることとなり、上記の深隙間部５５ａや浅隙間部５５ｂに替わってこの隙間に挿入部１１を挿入してもよい。
なお、この突条部３５の突出端と蓋側壁部５１の間に形成される隙間は、大径部３０ａの外側側面よりも外側に位置する隙間である。つまり、大径部３０ａの外側側面と蓋側壁部５１の間であって、蓋側壁部５１よりの位置に形成される隙間である。
【００７８】
上記した実施形態では、把持部１０を略長方形板状の部分とし、挿入部１１の把持部１０に対する屈曲角度αを３０度程度とした例について説明したが（図２等参照）、これに限らず、例えば、図７（ａ）で示されるような蓋オープナー１０２であってもよい。
【００７９】
この蓋オープナー１０２は、平面視形状が略楕円形状となる板状片となっている。
つまり、把持部１１０は、長手方向の一端側であって挿入部１１と連続しない端部側の形状が、挿入部１１から離れるにつれて幅方向の長さが短くなる形状となっている。そして、この長手方向における一端部が丸みを帯びた形状となっている。
さらに、挿入部１１の把持部１１０に対する屈曲角度αが２０度程度となっている。
【００８０】
上記した実施形態では、把持部１０の全体長さＬ１を挿入部１１の全体長さＬ３の２倍程度の長さとした例について説明したが（図２等参照）、これに限らず、例えば、図７（ｂ）で示されるような蓋オープナー２０２であってもよい。
【００８１】
この蓋オープナー２０２は、挿入部２１１の全体長さが、上記した実施形態の挿入部１１の全体長さＬ３よりも短く、把持部２１０の全体長さが、上記した実施形態の把持部１０の全体長さＬ３よりも長くなっている。そして、把持部２１０の全体長さが挿入部２１１の全体長さの５．５倍程度となっている。
【００８２】
ここで、このように把持部２１０が長い構造によると、使用者が把持部２１０の長手方向における端部（挿入部２１１と連続しない端部）を持って蓋オープナー２０２を回動させる際に、より小さな力で挿入部２１１を移動させることができる。
その反面、使用者があまり力を加えていないにも関わらず、挿入部２１１が過度に移動してしまい、蓋側壁部５１が不可逆的に変形してしまうおそれがある。
すなわち、小さな力で挿入部１１を移動させることと、挿入部１１の過度な移動を防止することを両立させるという観点から、把持部１０の全体長さＬ１は、挿入部１１の全体長さの２倍程度であることが好ましい。
【００８３】
上記した実施形態では、挿入部１１の一部を本体角部４１に接触させ、蓋オープナー２を回動させる例について説明したが、本発明はこれに限るものではない。
【００８４】
例えば、図８で示されるように、つなぎ部４０に蓋オープナー３０２の屈曲部３１２を接触させ、つなぎ部４０と接触する部分を支点として、蓋オープナー３０２を回動させる構造であってもよい。すなわち、把持部３１０と挿入部３１１の境界部分を支点として、蓋オープナー３０２を回動させてもよい。
【００８５】
この蓋オープナー３０２は、挿入部３１１の先端側部分が大径部３０ａのいずれかの部分（外側側面又は突条部３５、図４参照）と接触するまで挿入した際、挿入部３１１の先端部分から本体角部４１までの距離が、挿入部３１１の全体長さよりも長くなっている。
つまり、この蓋オープナー３０２は、挿入部３１１の先端側部分を大径部３０ａの外側側面と蓋側壁部５１の間に形成される隙間５５に挿入すると、屈曲部３１２がつなぎ部４０の上面と接触するものとなっている。
【符号の説明】
【００８６】
１  オープナー付き蓋付容器（蓋付容器とオープナーの組み合わせ）
２，１０２，２０２，３０２  蓋オープナー
３  蓋付容器
１０，１１０，２１０，３１０  把持部
１１，２１１，３１１  挿入部
１２，３１２  屈曲部
２０  容器本体
２１  蓋部材
２５  開口
３０  蓋取付部
３１  本体部
３５  突条部
４０  つなぎ部
４１  本体角部
５０  円板部
５１  蓋側壁部
５３  爪部
５５  隙間
５７  窪み部（窪み部分）
【図１】
2019038549.tif 000003
【図２】
2019038549.tif 000004
【図３】
2019038549.tif 000005
【図４】
2019038549.tif 000006
【図５】
2019038549.tif 000007
【図６】
2019038549.tif 000008
【図７】
2019038549.tif 000009
【図８】
2019038549.tif 000010